(57)【特許請求の範囲】
【請求項１】
撮影レンズと、
上記撮影レンズの後方の光路上に該撮影レンズから射出された光束を該光束の延長方向とは異なる方向に向けて反射する位置と反射しない位置とに移動可能になされた反射型光学部材と、
上記撮影レンズから射出された光束を上記反射型光学部材を介して受光するように設けられた第１の受光手段と、
上記撮影レンズから射出された光束を上記反射型光学部材を介さずに受光するように設けられた第２の受光手段と、
上記撮影レンズから射出された光束を上記反射型光学部材を介して上記第１の受光手段に受光させるときには、上記撮影レンズと上記反射型光学部材との間の光路中に介挿するように移動し、記撮影レンズから射出された光束を上記反射型光学部材を介さずに上記第２の受光手段に受光させるときには、上記反射型光学部材の移動に協動して上記撮影レンズと上記第１の受光手段の間の光路中から退避するように移動する透過型光学部材と、
を備えたことを特徴とする画像記録装置。
【請求項２】
上記撮影レンズから射出した光束を上記第１の受光手段に受光させるときには、上記透過型光学部材を上記撮影レンズと第１の受光手段との間に介挿されるように移動を開始した後に上記撮影レンズから射出した光束を反射する位置に上記反射型光学部材の移動を開始させ、上記撮影レンズから射出した光束を上記第２の受光手段に受光させるときには、上記透過型光学部材を上記撮影レンズと第１の受光手段との間から退避するように上記上記透過型光学部材の移動を開始させる移動制御手段とを更に備えたことを特徴とする請求項１に記載の画像記録装置。
【発明の詳細な説明】
【０００１】
【産業上の利用分野】
本発明は、画像記録装置、詳しくは、複数の受光手段を有する画像記録装置に関する。
【０００２】
【従来の技術】
従来、スチルカメラおよびビデオカメラの何れの機能も有したカメラが種々提案されており、特開昭６３−１１６１３７号公報，特開昭６３−１１７５７２号公報，特開昭６３−１５１９３３号公報，特開昭６３−２５９５２８号公報，特開昭６３−２６１２３９号公報，特開昭６３−２６１２４１号公報，特開昭６３−２６１２４２号公報，特開昭６３−２６１３３０号公報，特開昭６３−２６１９６８号公報等において開示されている。そして、これらのカメラは、スチルカメラにおけるフィルムと、ビデオカメラにおける固体撮像素子等との異なる２つの受光手段を具備しているものである。
【０００３】
【発明が解決しようとする課題】
ところが、上記従来技術では何れのカメラにおいても、異なる２つの受光手段にそれぞれ対応するため、独立した撮影光学系を必要としていた。したがって、装置自体の大型化は避けられず、携帯性が損なわれると共にコストの増大を招いていた。また、独立した撮影光学系で撮影を行うため、上記２つの受光手段における画像に空間的パララックスが生じるという問題点を有している。
【０００４】
本発明はかかる問題点に鑑みてなされたものであり、小型化が可能で携帯性に優れ、複数の受光手段に対する空間的パララックスのない画像記録装置を提供することを目的とする。
【０００５】
【課題を解決するための手段】
上記の目的を達成するために本発明による画像記録装置は、撮影レンズと、上記撮影レンズの後方の光路上に該撮影レンズから射出された光束を該光束の延長方向とは異なる方向に向けて反射する位置と反射しない位置とに移動可能になされた反射型光学部材と、上記撮影レンズから射出された光束を上記反射型光学部材を介して受光するように設けられた第１の受光手段と、上記撮影レンズから射出された光束を上記反射型光学部材を介さずに受光するように設けられた第２の受光手段と、上記撮影レンズから射出された光束を上記反射型光学部材を介して上記第１の受光手段に受光させるときには、上記撮影レンズと上記反射型光学部材との間の光路中に介挿するように移動し、記撮影レンズから射出された光束を上記反射型光学部材を介さずに上記第２の受光手段に受光させるときには、上記反射型光学部材の移動に協動して上記撮影レンズと上記第１の受光手段の間の光路中から退避するように移動する透過型光学部材と、を備えたことを特徴とする。
なお、ここに、受光手段とは、各種の固体撮像素子，撮像管，フィルム等の光像に係る変換をなす手段である。
【０００７】
【実施例】
以下、図面を参照して本発明の実施例を説明する。
【０００８】
図１ないし図６は本発明の１実施例である画像記録装置を示している。図１，図２，図３は、それぞれビデオムービーでの撮影状態を示した正面図，右側面図，平面図であり、図４，図５，図６は、それぞれフィルム撮影状態を示した正面図，右側面図，平面図である。
【０００９】
この第１実施例は、通常のビデオムービーとしての機能に加え、たとえば、３５ｍｍロールフィルムを使用する通常のスチルカメラとしての機能とを併せ持つ画像記録装置である。すなわち、カメラ本体１右側方には、スチルカメラ機能として、アパーチャ１ａを挟んで上下部にスプール室５とパトローネ室４とが配設されている。そして、該パトローネ室４には図示の如くフィルムパトローネ３が装填されるようになっていて、該フィルムパトローネ３より引き出された一つの光感応要素としての撮影フィルム２は、上記スプール室５内のスプール６に巻装されるようになっている。さらに、後蓋８に配設された圧板７によって上記撮影フィルム２がアパーチャ１ａに対して押圧されるようになっている。
【００１０】
上記スプール室５左側方のカメラ本体１中央上部には、撮影レンズ１５が前方に向けて突出形成されていて、該撮影レンズ１５後方の光路上にはフィールドレンズ１４が配設されている（図２参照）。また、該フィールドレンズ１４のさらに後方の光路上には上記撮影レンズ１５からの光束を下方に向けて反射させる固定ミラー１３がカメラ本体１に固着されて配設されている。
【００１１】
上記固定ミラー１３の下方には、該固定ミラー１３によって下方に向けられた光路に沿った所定の可動範囲内において、図示しないガイド軸によって上下方向にガイドされ上下方向に摺動自在であると共に、光軸に対して所定角度の回転動作が可能なリレーレンズ１０が配設されている。このリレーレンズ１０は、図１および図２中、実線にて示した位置（以下、第１の位置という）と、２点鎖線にて示した位置（以下、第２の位置という）との間を可動範囲として移動可能となっている。そして、この第１の位置と第２の位置とにあるときでは、互いに１８０度回転した位置関係を持ち、これにより異なる横倍率を有するようなっている。なお、該リレーレンズ１０の配置および横倍率に関しては後に詳述する。
【００１２】
また、カメラ本体１中央部の上記リレーレンズ１０可動範囲近傍には、カメラ本体１の左右方向に揺動可能な可動ミラー９が、上記固定ミラー１３によって下方に向けられた光路に対して介挿および退避可能となるように配設されている。この可動ミラー９は、カメラ本体１の所定位置において前後方向に固定された軸に軸支され、該カメラ本体１の左右方向に揺動するアームの自由端部に配設されており、該アームの揺動動作によって、上記光路中への介挿状態と光路からの退避状態とが切換わるようになっている。
【００１３】
一方、第１の位置に配置される上記リレーレンズ１０のさらに下方の光路終端には当該他の光感応要素としてのＣＣＤ１２が配設されている。このＣＣＤ１２は、上記リレーレンズ１０が第１の位置に配置しているときに、上記撮影レンズ１５からの被写体光束を集光する位置に当該受光面が配置されるように配設されている。また、該ＣＣＤ１２の上方には上記被写体光のうち定常光のみを同ＣＣＤ１２に透過させるローパスフィルタ１１が配置されている。
【００１４】
ところで、上記可動ミラー９およびリレーレンズ１０の配置状態は撮影状態，すなわち、ビデオムービーでの撮影であるか、フィルムでの撮影であるかに依存し、また、互いに密接に関連しているが、以下、これを詳細に説明する。
【００１５】
当該第１実施例の画像記録装置がビデオムービーでの撮影状態にあるとき、すなわち、図１ないし図３に示す状態にあるときは、上記リレーレンズ１０は上述した第１の位置に配置されて所定の横倍率を有し、また、可動ミラー９は図中、実線にて示す退避状態となるように配置される。これにより、上記固定ミラー１３によって下方に向けられた光束は、上記ローパスフィルタ１１を介して上記光感応要素たるＣＣＤ１２に集光されるようになっている。
【００１６】
一方、該画像記録装置がフィルムでの撮影状態にあるとき、すなわち、図４ないし図６に示す状態にあるときは、上記リレーレンズ１０は撮影レンズ１５寄りの上述した第２の位置に配置され、上記第１の位置にあるときとは異なる横倍率を有し、可動ミラー９は、図４ないし図５中、実線で示すように光路中に介挿された状態となるように配置される。このとき、上記固定ミラー１３によって下方に向けられた光束は該可動ミラー９によって反射され、右側方のアパーチャ１ａに向けられるようになっている。これにより、上記撮影レンズ１５からの被写体光が第２の光感応要素たる撮影フィルム２面上に集光されるようになっている。
【００１７】
ここで、上記第１実施例における各光感応要素（撮影フィルム２，ＣＣＤ１２），撮影光学系（撮影レンズ１５，リレーレンズ１０）および可動ミラー９との位置関係について図７を参照して説明する。なお、図７は、上記各部の関係を模式的に示した線図である。
【００１８】
図７において、符号１００，１０１，１０２，１０３，１０４は、それぞれ撮影レンズ，リレーレンズ，可動ミラー，第２の光感応要素，第１の光感応要素を示している。また、上記リレーレンズ１０１および可動ミラー１０２は、撮影状態によって移動し、符号１０１ａ，１０２ａは、上記第１の光感応要素１０４を使用しての撮影時、たとえば、ビデオムービー撮影時における上記リレーレンズ１０１および可動ミラー１０２の位置を示し、一方、符号１０１ｂ，１０２ｂは、上記第２の光感応要素１０３を使用しての撮影時、たとえば、フィルム撮影時における同リレーレンズ１０１および可動ミラー１０２の位置を示している。
【００１９】
なお、上記撮影レンズ１００，リレーレンズ１０１，可動ミラー１０２，第２の光感応要素１０３，第１の光感応要素１０４は、それぞれ上記第１実施例における撮影レンズ１５，リレーレンズ１０，可動ミラー９，撮影フィルム２，ＣＣＤ１２と等価であり、また、符号１０１ａ，１０１ｂの位置は、上述した第１，第２の位置にそれぞれ相当し、さらに、符号１０２ａ，１０２ｂの位置は、上述した退避状態，介挿状態の位置にそれぞれ相当する。
【００２０】
ところで、上記撮影レンズ１００の焦点距離は、上記第１および第２の光感応要素１０４，１０３の対角線長をそれぞれａ，ｂとすると、
0003631258.tif 000002
で表される。
【００２１】
そして、第１の光感応要素１０４を使用しての撮影時においては、上記リレーレンズ１０１は符号１０１ａの位置、すなわち、第１の位置にあるが、このとき符号１０１ａの位置は、被写体像が第１の光感応要素１０４に結像されるように当該横倍率が、
0003631258.tif 000003
となるような位置に移動して配置されている。
【００２２】
また、第２の光感応要素１０３を使用しての撮影時においては、上記リレーレンズ１０１は符号１０１ｂの位置、すなわち、第２の位置にあるが、このとき符号１０１ｂの位置は、被写体像が第２の光感応要素１０３に結像されるように当該横倍率が、
0003631258.tif 000004
となるような位置に反転移動して配置されている。
【００２３】
すなわち、第１の光感応要素１０４に対しては、トータルの焦点距離がｆ、また、第２の光感応要素１０３に対しては、トータルの焦点距離が（ｂ／ａ）・ｆとなるように上記リレーレンズ１０１が配置される。
【００２４】
一方、上記可動ミラー１０２は、第１の光感応要素１０４を使用しての撮影時においては、上記リレーレンズ１０１と協動して符号１０２ａで示される退避状態となるように揺動し、該第１の光感応要素１０４への光束を妨げない。また、第２の光感応要素１０３を使用しての撮影時においては、同じく、上記リレーレンズ１０１と協動して符号１０２ｂで示される介挿状態となるように揺動し、撮影レンズ１００からの光束を第２の光感応要素１０３に結像させるべく屈折反射させる。
【００２５】
次に、上記第１実施例の画像記録装置内のリレーレンズ１０および可動ミラー９の切換部の構成をさらに詳しく説明する。
【００２６】
まず、上記リレーレンズ１０の構成を説明する。
【００２７】
図８および図９は、図１に示す本第１実施例の画像記録装置を左側方、すなわち、フィルム面と反対側から見たときの上記リレーレンズ１０とその周辺部を示す正面図である。なお、図８は、ビデオムービーでの撮影状態、すなわち、該リレーレンズ１０が上述した第１の位置に配置されたときの状態を示しており、また、図９は、フィルムでの撮影状態、すなわち、該リレーレンズ１０が上述した第２の位置に配置されたときの状態を示している。また、図２０は、図１に示す本第１実施例の画像記録装置を下方から見た図である。
【００２８】
図に示すように、図中、左側には上記ＣＣＤ１２が、また、右側には上記固定ミラー１３を介して撮影レンズ１５が配置されていて、上述したように、リレーレンズ１０は上記ＣＣＤ１２と上記固定ミラー１３との間の光軸上所定範囲において可動できるように配設されている。
【００２９】
上記リレーレンズ１０はリレーレンズ回転枠４３に固着内設されていて、さらに、該リレーレンズ回転枠４３はリレーレンズスライド枠４２に、後述するように回動自在に内設されている。また、該リレーレンズ回転枠４３正面側にはばね掛け４３ｃが突出形成されていて、その先端部は、上記リレーレンズスライド枠４２の対応する位置に穿設された穿設孔から延出するように突出している。さらに、上記リレーレンズスライド枠４２正面側中央部にはばね掛け４２ｄが突出形成されていて、上記ばね掛け４３ｃと該ばね掛け４２ｄとの間にはねじりコイルばね４４が架設されている。そして、上記リレーレンズ回転枠４３に内設された上記リレーレンズ１０は、レンズ中央を通り、図８中、紙面前後方向に延びた軸を回転軸とし、上記リレーレンズスライド枠４２内で図中、左右回りに１８０度の回動をするようになっている。
【００３０】
すなわち、図８に示すビデオムービーでの撮影時に上述した第１の位置に配置されたリレーレンズ１０は、図９に示すフィルムでの撮影時に第２の位置に移動する際に、上記ねじりコイルばね４４は徐々に図中、左回りに回転し、思案点を越えた時点で図９に示す１８０度回転した位置に固定されるようになっている。なお、この状態よりビデオムービーでの撮影時に移行する際には、上述とは逆に該リレーレンズ１０は図中、右回りに回転し、思案点を越えた時点で図８に示す１８０度回転した位置に固定されるようになっている。
【００３１】
また、上記リレーレンズ回転枠４３正面側一側部および裏面側一側部の同一回動軌跡上にはそれぞれ２つの従動突起部４３ａ，４３ｂが突出形成されていて、リレーレンズスライド枠４２内に穿設された部分円弧形状のガイド孔に摺動可能に係合され、該リレーレンズ回転枠４３の部分回動をガイドするようになっている。さらに、該リレーレンズ回転枠４３一側面には回転止め４３ｄが突出形成されていて、上記リレーレンズスライド枠４２内面上下部に配設された係止片４２ｅ，４２ｆによって、同リレーレンズ回転枠４３の回動が規制されるようになっている。
【００３２】
一方、カメラ本体１内の、上記リレーレンズ回転枠４３に対して図中、上下方には、それぞれリレーレンズスライド軸４５ａ，４５ｂが配設されている。また、該リレーレンズスライド軸４５ａ，４５ｂの外方には親板２８が配設されている。そして、リレーレンズスライド枠４２は、上記リレーレンズスライド軸４５ａ，４５ｂにガイドされて光軸方向に摺動するようになっている。さらに、上記リレーレンズスライド枠４２一側方にはばね掛け４２ｃが図中、下方に向けて突出形成されていると共に、上記親板２８内面所定位置にはばね掛け６２が植設されていて、この両ばね掛けの間にはねじりコイルばね６１が架設されている。
【００３３】
上記ばね掛け４２ｃは、上記ねじりコイルばね６１が掛けられている部分よりさらに下方に向けて延出しており、その先端は、該リレーレンズスライド枠４２のさらに図中、下方に配設されたリレーレンズホルダ押さえ４６の凹部４６ａに係合している。このリレーレンズホルダ押さえ４６は、後述するプーリ４０に掛けられたベルト４１と一体に光軸と平行な方向（図中、左右方向）に移動するようになっており、該リレーレンズホルダ押さえ４６の移動に連動して同リレーレンズホルダ押さえ４６の凹部４６ａの内壁一側面にばね掛け４２ｃが当接することで上記リレーレンズスライド枠４２が、すなわち、リレーレンズ１０が光軸方向に移動することになる。このとき、該リレーレンズ１０は、上記ねじりコイルばね６１の思案点を境に前述した第１の位置と第２の位置とに配置されるようになっている。
【００３４】
すなわち、上記リレーレンズ１０は、ビデオムービーでの撮影時には図８に示す第１の位置に配置されているが、フィルムでの撮影時には、図中、右方向に向けて徐々に移動し、上記ねじりコイルばね６１の思案点を越えた段階で図９に示す第２の位置に固定されるようになっている。また、第２の位置に配置された状態より第１の位置に移動する際には、上述とは逆に図中、左方向に向けて移動し、上記ねじりコイルばね６１の思案点を越えた段階で図８に示す第１の位置に固定されるようになっている。
【００３５】
なお、上記リレーレンズスライド枠４２の図中、左右側面にはそれぞれ突出片４２ｂ，４２ａが配設されていて、上記リレーレンズ１０の移動に伴い、カメラ本体１のそれぞれ上記突出片４２ｂ，４２ａに対応する位置に配設されたリーフスイッチ５８，５６に当接してオンさせることで、該リレーレンズ１０が上記第１および第２の位置にあることを検出できるようになっている。
【００３６】
つぎに、上記可動ミラー９およびその周辺部の構成を説明する。
【００３７】
図１０および図１４は、共に図８および図９に示す本第１実施例の画像記録装置を紙面上方側から見たときの上記リレーレンズ１０および可動ミラー９とその周辺部を示す図である。そして、図１０は、ビデオムービーでの撮影状態、すなわち、該リレーレンズ１０が上述した第１の位置に配置されたときの状態を、また、図１４が、フィルムでの撮影状態、すなわち、該リレーレンズ１０が上述した第２の位置に配置されたときの状態をそれぞれ示している。
【００３８】
上記リレーレンズ１０は、上述したようにベルト４１に固定された上記リレーレンズホルダ押さえ４６によって光軸上を移動するが、該ベルト４１は、図中、左右に示すプーリ４０ａ，４０ｂに掛けられ、さらに、図１１に示すリレーレンズ駆動モータ３９を駆動源として可動するようになっている。図１１に示すように、該リレーレンズ駆動モータ３９からの駆動力はギアー列を介して上記プーリ４０ａに伝達されるようになっている。一方、図１２は、上記プーリ４０ｂを示した正面図である。
【００３９】
図１０および図１４に戻って、上記リレーレンズ１０よりフィルム面側（図中、下方）には、レバー２０が配設されている。このレバー２０は、その支点を揺動自在に、上記親板２８の所定位置において図中、紙面の前後方向に延設されたばね掛け軸２２に枢着されており、図中、一担右側に向けて延出し、さらにクランク状に曲折した後に再び右側に向けて延出した一腕２０ａを有している。また、該一腕２０ａ先端部は上方に向けて曲折していて、この先端部にはばね掛け軸２７を支点として揺動自在なレバー２４が配設されている。該レバー２０と該レバー２４とは親子レバーの関係にあり、また、レバー２４先端部は、上記リレーレンズ１０が第２の位置に移動した際に、上記リレーレンズスライド枠４２に配設された突出片４２ａと当接するようになっている（図１４参照）。なお、上記ばね掛け軸２２は図中、左右方向に移動可能となっている。
【００４０】
一方、図中、左斜め下方に延出したレバー２０の他腕２０ｂの端部には回動自在なローラー１９が配設されている。
【００４１】
また、上記ばね掛け軸２７を支軸にしたねじりコイルばね２６が、上記レバー２４の一腕先端部と上記レバー２０の一腕２０ａ先端部に植設されたばね掛け２５とに掛けられていて、これにより、該レバー２４は、ばね掛け軸２７を支点に図中、右回りに付勢されるようになっている。
【００４２】
上記リレーレンズ１０よりフィルム面側（図中、下方）であって、上記レバー２０の、図中、背面側には、山型形状を呈するスライド板３４が、図中、左右方向に移動可能に配設されている。このスライド板３４の両側方には長孔形状の穿設孔３４ａ，３４ｂが穿設されており、さらに、該穿設孔３４ａ，３４ｂには、それぞれ上記親板２８の所定位置に固定されたスライド軸４９ａ，４９ｂが係合されていることより、図中、左右方向に摺動自在となっている。
【００４３】
上記スライド板３４の山部一側方において、上記レバー２０の支点であるばね掛け軸２２が貫設しており、これにより、上記レバー２０の光軸と平行方向への移動に伴って該スライド板３４も同方向へ移動することになる。また、該スライド板３４の一側方において突出形成されたばね掛け３４ｃとカメラ本体１の所定位置に固定されたばね掛け５０との間には引張コイルばね３８が架設されていて、該スライド板３４を図中、左側に付勢するようになっている。
【００４４】
これにより、上記リレーレンズ１０が、図１０に示す第１の位置より図１４に示す第２の位置に移動すると、上述したようにリレーレンズスライド枠４２の突出片４２ａに当接されてレバー２４，レバー２０が図中、右側へ移動し、これに連動して上記スライド板３４が右側へ移動することになる。
【００４５】
また、上記スライド板３４の山部他側方には角形状の穿設孔３４ｄが穿設されていて、上記可動ミラー９に配設されたミラー係合部３０が係合している。
【００４６】
上記可動ミラー９は、上記親板２８の所定位置において図中、紙面の前後方向に延設されたミラー回転軸２９を支点に揺動自在に枢着されたレバー形状を呈し、その一腕部に上記撮影レンズ１５からの被写体光を反射するミラーが配設されている。また、該可動ミラー９の一腕先端部には、図中、背面側に向けて係合軸９ａが植設されている。そして、該可動ミラー９が図１０に示すように光路より退避しているときには、この係合軸９ａによって、リーフスイッチ５９に当接してオンさせ、また、該可動ミラー９が図１４に示すように光路中まで回動した際には、リーフスイッチ５７に当接してこれをオンさせるようになっている。これにより、該可動ミラー９の位置を把握できるようになっている。
【００４７】
一方、上記可動ミラー９の他腕は、第１の他腕９ｂと該第１の他腕９ｂ先端部に配設された上記ミラー係合部３０を介して延設された第２の他腕９ｃとで構成される。そして、該第２の他腕９ｃ先端部にはミラーばね掛け３１が配設されていて、さらに、該ミラーばね掛け３１と上記親板２８の所定位置に配設されたばね掛け３２との間にはねじりコイルばね３３が架設されている。また、該ミラーばね掛け３１の回動軌跡に対応する上記親板２８の所定位置には円弧形状のガイド孔２８ａが穿設されている。さらに、山部の頂点に形成された折曲立上片と上記親板２８の所定位置に配設されたばね掛け２１との間にねじりコイルばね２３が架設され、これにより、該スライド板３４は、図中、上方へと付勢されている。また、上記親板２８の、上記ミラー係合部３０の移動路に対応する位置には、長孔形状のガイド孔２８ｂが穿設されている。
【００４８】
上記ミラー係合部３０は、上述したようにスライド板３４の穿設孔３４ｄに係合している。これにより、該スライド板３４の右方向への移動に伴って該ミラー係合部３０は、上記ミラー回転軸２９を支点とした円弧上を右に移動することになる。したがって、このミラー係合部３０が右方向に移動することにより、上記可動ミラー９の、光路中への介挿が可能となる。
【００４９】
すなわち、上記ミラー係合部３０およびミラーばね掛け３１は、ビデオムービーでの撮影時には図１０に示す位置にあり、したがって、上記可動ミラー９は、ビデオムービーでの撮影時には同図に示すように光路から退避した位置に配置されている。そして、フィルムでの撮影時には、上記ミラー係合部３０がスライド板３４によって右方向へ上記ガイド孔２８ｂに沿って移動され、これに伴い、ミラーばね掛け３１も上記ガイド孔２８ａに沿って右方向に向けて徐々に移動し、さらに、可動ミラー９も光路へ向けて徐々に回動する。そして、上記ねじりコイルばね３３の思案点を越えた段階で図１４に示すように可動ミラー９は光路中へと回動し固定される。
【００５０】
次に、一担光路中に介挿された可動ミラー９を該光路から退避させる機構について説明する。
【００５１】
図１０および図１４に示すように、上記スライド板３４の下方には、後述するミラー駆動モータ１６の駆動力によって回動するアーム付きギアー３５が配設されている。このアーム付きギアー３５の先端部は、上記ミラーばね掛け３１に当接するようになっていて、また、該アーム付きギアー３５の自由端部に配設されたばね掛け３５ａと親板２８の所定位置に配設されたばね掛け５５との間には、引張コイルばね３６が架設されている。そして、この引張コイルばね３６の付勢力によって該アーム付きギアー３５は、図中、右回りに付勢されるよになっている。
【００５２】
図１３および図１５は、本第１実施例の画像記録装置を正面側から見たときの、上記可動ミラー９の退避機構を示す正面図である。そして、図１３は、ビデオムービーでの撮影状態を、また、図１５は、フィルムでの撮影状態を各々示している。すなわち、該図１３，図１５は、上記図１０，図１４に示す機構のさらに下方の機構をそれぞれ示している。
【００５３】
上記レバー２０他腕先端部に配設されたローラー１９は、カムフォロワ１８上面に当接している。このカムフォロワ１８は上記親板２８の所定位置に配設されたスライド軸４８ａ，４８ｂによって上下方向に摺動自在となっている。そして、該カムフォロワ１８先端は、上記親板２８の所定位置に配設されたスライド軸４７ａ，４７ｂによって図中、左右方向に摺動自在であるスライドカム１７の上面カム面に当接している。
【００５４】
上記スライドカム１７の底面はラック部を形成しており、ミラー駆動モータ１６からギアー列を図示の如く介して出力の一端となるピニオン１７ａと共にラックピニオン機構を構成している。また、該スライドカム１７の上面は、中央部が図中、右下がりの斜面に、また、両端部が光軸に対して平行面となるカム面が形成されている。
【００５５】
また、上記スライドカム１７の一側方には係止部３７およびリーフスイッチ６０が配設されている。そして、図１３および図１５に示すように、該スライドカム１７が図中、左側に摺動した際には、該一側面において係止部３７に当接し、さらに、リーフスイッチ６０をオンするようになっている。これにより、該スライドカム１７の位置を検出できるようになっている。
【００５６】
一方、上記ミラー駆動モータ１６の出力他端はギアー列を介して図示の如く上記アーム付きギアー３５のギアー部に噛合している。
【００５７】
図１６ないし図１９は、本第１実施例の画像記録装置を正面側から見たときの、上記可動ミラー９の退避機構を説明する正面図である。
【００５８】
上記ミラー駆動モータ１６が回動すると、上記ギヤー列を介してその出力が上記ピニオン１７ａおよびアーム付きギアー３５のギヤー部に伝達される。
【００５９】
これにより、図１７に示すように上記スライドカム１７が図中、右方向に摺動する。これにともない、カムフォロワ１８が該スライドカム１７のカム面に到達し、図中、上方へ移動する。そして、図１６に示すように、上記カムフォロワ１８の上方への移動に伴って、上記ローラー１９を介してレバー２０が、ばね掛け軸２２を支点とする右回りの揺動を開始すると共に、図中、左方向へ移動する。
【００６０】
一方、上記アーム付きギアー３５は、図１６に示すように、図中、左回りに回転し、その先端部が上記ミラーばね掛け３１に当接するようになる。
【００６１】
上記ミラー駆動モータ１６がさらに回動すると、図１９に示すように、上記スライドカム１７はさらに右側へ移動し、上記カムフォロワ１８はさらに上方へ押し上げられる。そして、図１８に示すように、上記カムフォロワ１８のさらなる上方への移動に伴って、上記レバー２０はさらに揺動して子レバー２４が完全に上記リレーレンズスライド枠４２の突出片４２ａから離間すると共に、図中、左方向へ移動する。
【００６２】
一方、上記アーム付きギアー３５は、図１８に示すように、さらに、左回りに回動して上記ミラーばね掛け３１を左端に移動させる。これにより、上記可動ミラー９は光路中より退避することになる。
【００６３】
すなわち、上記ミラー駆動モータ１６の回動により上記ミラーばね掛け３１がガイド孔２８ａに沿って図中、左端に徐々に移動し、これにともない、図１４に示すように、一担光路中に介挿された可動ミラー９も光路中より徐々に退避する。そして、上記ねじりコイルばね３３の思案点を越えた時点において該可動ミラー９は退避位置に到達して保持される。なお、この動作中、上述したように上記レバー２４はリレーレンズスライド枠４２の突出片４２ａとは完全に離間しているので、リレーレンズ１０は第２の位置を維持したまま移動することはない。
【００６４】
図２１は、本実施例の画像記録装置の動作を示したタイムチャートである。
【００６５】
まず、ビデオムービーでの撮影状態（録画またはカメラスルー状態）で、図示しないレリーズボタンをオンする。これにより、絞りが閉じられ、同時にＥＶＦ等のモニタ画像がロックされる。そして、リレーレンズ駆動モータ３９が正転し、リレーレンズ１０が第１より第２の位置への移動を開始する。この移動に伴いリーフスイッチ５８がオフし、第２位置への移動が終了するとリーフスイッチ５６がオンする。
【００６６】
そして、上記リレーレンズ１０は反転し、また、可動ミラー９が退避状態より光路中へ介挿される。なお、このとき、リーフスイッチ５９がオフし、また、リーフスイッチ５７がオンする。
【００６７】
所定時間後Δｔ後、シャッタ動作を行い絞りを閉じる。この後、ミラー駆動モータ１６が正転して、可動ミラー９が光路中より退避する。なお、このとき、リーフスイッチ５７がオフし、また、リーフスイッチ５９がオンする。
【００６８】
そして、上記リレーレンズ駆動モータ３９およびミラー駆動モータ１６を逆転させて、上記リレーレンズ１０を第１の位置に移動させると共に、スライドカム１７を初期位置に戻す。この移動動作が完了後、すなわち、リーフスイッチ６０がオンし、また、リーフスイッチ５８がオンすると、絞りを開いて、ＥＶＦ等におけるモニタ画像のロックを解除する。
【００６９】
このような実施例によると、ビデオムービーでの撮影時に所望のシーンに遭遇した際に、該ビデオムービーでの撮影動作を中断することなく、簡単な操作で通常のスチル写真を撮ることができる。
【００７０】
なお、上記実施例では、通常のビデオムービーとしての機能に加え、たとえば、３５ｍｍロールフィルムを使用する通常のスチルカメラとしての機能とを併せ持つ画像記録装置の例を挙げたが、これに限ることなく、本発明は、たとえば、ビデオムービー機能とハーフサイズのスチルカメラ機能を併せ持つ画像記録装置，異なる画面サイズでの撮影が可能なスチルカメラ機能を有する画像記録装置，通常のスチルカメラ機能とＨＤＴＶ方式のテレビジョン機能とを併せ持つ画像記録装置，ＮＴＳＣ方式とＨＤＴＶ方式のテレビジョン機能を有する画像記録装置等に適用されてもよい。
【００７１】
【発明の効果】
以上説明したように本発明によれば、小型化が可能で携帯性に優れ、複数の受光手段に対する空間的パララックスのない画像記録装置を提供することができる。
【図面の簡単な説明】
【図１】本発明の１実施例である画像記録装置のビデオムービーでの撮影状態を示した正面図。
【図２】上記実施例の画像記録装置の、ビデオムービーでの撮影状態を示した右側面図。
【図３】上記実施例の画像記録装置の、ビデオムービーでの撮影状態を示した平面図。
【図４】上記実施例の画像記録装置の、フィルムでの撮影状態を示した正面図。
【図５】上記実施例の画像記録装置の、フィルムでの撮影状態を示した右側面図。
【図６】上記実施例の画像記録装置の、フィルムでの撮影状態を示した平面図。
【図７】上記実施例における各光感応要素，撮影光学系および可動ミラーの位置関係を模式的に示した線図。
【図８】ビデオムービーでの撮影状態における上記実施例の画像記録装置を、左側方から見たときのリレーレンズとその周辺部を示す正面図。
【図９】フィルムでの撮影状態における上記実施例の画像記録装置を、左側方から見たときのリレーレンズとその周辺部を示す正面図。
【図１０】ビデオムービーでの撮影状態における上記実施例の画像記録装置を正面側から見たときのリレーレンズおよび可動ミラーとその周辺部を示す正面図。
【図１１】上記実施例の画像記録装置におけるリレーレンズ駆動モータとその周辺部を示した正面図。
【図１２】上記実施例の画像記録装置におけるプーリ４０ｂを示した正面図。
【図１３】ビデオムービーでの撮影状態での上記実施例の画像記録装置における可動ミラーの退避機構を示す正面図。
【図１４】フィルムでの撮影状態における上記実施例の画像記録装置を正面側から見たときのリレーレンズおよび可動ミラーとその周辺部を示す正面図。
【図１５】フィルムでの撮影状態での上記実施例の画像記録装置における可動ミラーの退避機構を示す正面図。
【図１６】可動ミラーの退避時における上記実施例の画像記録装置を正面側から見たときのリレーレンズおよび可動ミラーとその周辺部を示す正面図。
【図１７】可動ミラーの退避時における上記実施例の画像記録装置における可動ミラーの退避機構を示す正面図。
【図１８】可動ミラーの退避時における上記実施例の画像記録装置を正面側から見たときのリレーレンズおよび可動ミラーとその周辺部を示す正面図。
【図１９】可動ミラーの退避時における上記実施例の画像記録装置における可動ミラーの退避機構を示す正面図。
【図２０】上記実施例の画像記録装置の下面図。
【図２１】上記実施例の画像記録装置の動作を示したタイムチャート。
【符号の説明】
１…カメラ本体
２…撮影フィルム
３…フィルムパトローネ
４…パトローネ室
５…スプール室
６…スプール
７…圧板
８…後蓋
９…可動ミラー
１０…リレーレンズ
１１…ローパスフィルタ
１２…ＣＣＤ
１３…固定ミラー
１４…フィールドレンズ
１５…撮影レンズ
【図１】
0003631258.tif 000005
【図２】
0003631258.tif 000006
【図３】
0003631258.tif 000007
【図４】
0003631258.tif 000008
【図５】
0003631258.tif 000009
【図６】
0003631258.tif 000010
【図７】
0003631258.tif 000011
【図８】
0003631258.tif 000012
【図９】
0003631258.tif 000013
【図１０】
0003631258.tif 000014
【図１１】
0003631258.tif 000015
【図１２】
0003631258.tif 000016
【図１３】
0003631258.tif 000017
【図１４】
0003631258.tif 000018
【図１５】
0003631258.tif 000019
【図１６】
0003631258.tif 000020
【図１７】
0003631258.tif 000021
【図１８】
0003631258.tif 000022
【図１９】
0003631258.tif 000023
【図２０】
0003631258.tif 000024
【図２１】
0003631258.tif 000025